(57)【特許請求の範囲】
【請求項１】
所定の記憶媒体に記憶された複数の楽曲の少なくとも一部の楽曲で構成される楽曲リストを記憶する楽曲リスト記憶手段と、
前記複数の楽曲の付帯情報を該楽曲ごとに関連付けて記憶する付帯情報記憶手段と、
前記複数の楽曲の中から楽曲を指定する楽曲指定手段と、
前記指定楽曲の表示領域を他の楽曲を表示する第一の表示領域よりも広い第二の表示領域に拡張すると共に該指定楽曲のみ付帯情報も付して、表示画面内の前記楽曲リストの表示範囲が埋まるように、該指定楽曲を含む該楽曲リスト内の少なくとも一部の楽曲を再生順に並べて表示する楽曲リスト表示手段と、
を有し、
前記楽曲リスト表示手段は、
前記指定楽曲を前記表示範囲の中央に配置しつつその前後の楽曲を該表示範囲が埋まる分だけ再生順に並べた、第一の表示形態での表示を行い、
前記第一の表示形態での表示では前記表示範囲が埋まらない場合に、前記指定楽曲を前記表示範囲の中央に配置することなく、該指定楽曲を含む前記楽曲リスト内の少なくとも一部の楽曲を再生順に該表示範囲が埋まる分だけ並べた、第二の表示形態での表示を行うことを特徴とする、楽曲表示装置。
【請求項２】
前記楽曲リスト表示手段は、
前記付帯情報に含まれる個々の情報を種別ごとに改行して表示することを特徴とする、請求項１に記載の楽曲表示装置。
【請求項３】
前記楽曲リスト表示手段は、
前記指定楽曲の文字又は表示領域の背景を前記他の楽曲と異なる形態で表示することを特徴とする、請求項１又は請求項２に記載の楽曲表示装置。
【請求項４】
前記表示範囲に表示中の前記楽曲リストの中から新たに楽曲が指定されたとき、前記楽曲リスト表示手段は、
前記新たな指定楽曲の表示領域を前記第二の表示領域に拡張して該新たな指定楽曲の付帯情報を表示すると共に、従前の指定楽曲の表示領域を前記第一の表示領域に縮小して該従前の指定楽曲の付帯情報を削除し、且つ
前記第一の表示形態での表示が可能である場合には、前記新たな指定楽曲が前記表示範囲の中央に位置するように該楽曲リストを必要に応じてスクロール表示させて前記第一の表示形態での表示を行い、
前記第一の表示形態での表示が可能でない場合には、前記楽曲リストをスクロール表示させることなく前記第二の表示形態での表示を行うことを特徴とする、請求項１から請求項３の何れか一項に記載の楽曲表示装置。
【請求項５】
移動体に搭載されたことを特徴とする、請求項１から請求項４の何れか一項に記載の楽曲表示装置。
【発明の詳細な説明】
【技術分野】
【０００１】
本発明は、楽曲リストを表示する楽曲表示装置に関する。
【背景技術】
【０００２】
楽曲データを再生するオーディオ装置は、一般に、楽曲リストや再生中の楽曲を表示する表示部を有している。この種のオーディオ装置の具体的構成例は特許文献１に記載されている。特許文献１に記載のオーディオ装置は、表示部に表示された楽曲リストの中から楽曲が選択されると、当該楽曲データを再生すると共に表示部の表示を所定の楽曲再生画面に切り替える。楽曲再生画面では、ユーザの入力を受け付けるためのソフトウェアキーに加えて、再生中の楽曲の詳細情報（例えば楽曲名、アーティスト名、アルバム名）が表示される。
【０００３】
特許文献１は、画面サイズ上の制約が厳しい携帯型又は車載型オーディオ装置を想定している。そのため、一画面に表示可能な情報量が限られている。特許文献１では、再生中の楽曲の詳細情報の視認性を向上させるため、表示部の画面全体を使って詳細情報の表示を行う。
【先行技術文献】
【特許文献】
【０００４】
【特許文献１】特開２０１０−２３８２７５号公報
【発明の概要】
【発明が解決しようとする課題】
【０００５】
このように、特許文献１に記載のオーディオ装置は、楽曲再生画面の表示中に楽曲リストを表示することができない。そのため、ユーザは、再生中の楽曲の前後の楽曲を視認することができない。前後の楽曲を視認するには画面表示を楽曲リストに切り替える必要があり、操作が煩雑である。また、楽曲リストの表示中は再生中の楽曲の詳細情報を視認できないという不都合が指摘される。
【０００６】
本発明は上記の事情に鑑みてなされたものであり、その目的とするところは、指定された楽曲の詳細情報と前後の楽曲を高い視認性で一画面に表示するのに好適な楽曲表示装置を提供することである。
【課題を解決するための手段】
【０００７】
上記の課題を解決する本発明の一形態に係る楽曲表示装置は、所定の記憶媒体に記憶された複数の楽曲の少なくとも一部の楽曲で構成される楽曲リストを記憶する楽曲リスト記憶手段と、複数の楽曲の付帯情報を該楽曲ごとに関連付けて記憶する付帯情報記憶手段と、複数の楽曲の中から楽曲を指定する楽曲指定手段と、指定楽曲の表示領域を他の楽曲を表示する第一の表示領域よりも広い第二の表示領域に拡張すると共に該指定楽曲のみ付帯情報も付して楽曲リストを表示画面に表示する楽曲リスト表示手段とを有することを特徴としている。
【０００８】
楽曲リスト表示手段は、指定楽曲を表示画面上の楽曲リストの表示範囲の中央に表示する構成としてもよい。
【０００９】
楽曲リスト表示手段は、付帯情報に含まれる個々の情報を種別ごとに改行して表示する構成としてもよい。
【００１０】
楽曲リスト表示手段は、指定楽曲の文字又は表示領域の背景を他の楽曲と異なる形態で表示する構成としてもよい。
【００１１】
表示画面に表示中の楽曲リストの中から新たに楽曲が指定されたとき、楽曲リスト表示手段は、新たな指定楽曲の表示領域を第二の表示領域に拡張して該新たな指定楽曲の付帯情報を表示すると共に、従前の指定楽曲の表示領域を第一の表示領域に縮小して該従前の指定楽曲の付帯情報を削除し、新たな指定楽曲が表示画面上の楽曲リストの表示範囲の中央に位置するように該楽曲リストをスクロール表示してもよい。
【００１２】
本発明に係る楽曲表示装置は、一般乗用車等の移動体に搭載された機器であってもよい。
【発明の効果】
【００１３】
本発明によれば、指定された楽曲の詳細情報と前後の楽曲を高い視認性で一画面に表示するのに好適な楽曲表示装置が提供される。
【図面の簡単な説明】
【００１４】
【図１】本発明の実施形態のオーディオ装置の構成を示すブロック図である。
【図２】本発明の実施形態の楽曲再生画面表示処理のフローチャートを示す図である。
【図３】本発明の実施形態の楽曲再生画面例を示す図である。
【図４】本発明の実施形態の楽曲再生画面例を示す図である。
【図５】本発明の実施形態の楽曲変更処理のフローチャートを示す図である。
【図６】本発明の実施形態の楽曲再生画面例を示す図である。
【図７】別の実施形態の楽曲再生画面例を示す図である。
【発明を実施するための形態】
【００１５】
以下、図面を参照して、本発明の実施形態のオーディオ装置を説明する。
【００１６】
図１は、本実施形態のオーディオ装置１００の構成を示すブロック図である。図１に示されるように、オーディオ装置１００の各ブロックは、システムバス１０を介して相互に接続されている。各ブロックは、オーディオ装置１００の電源投入後、システムバス１０を介して必要なハードウェアにアクセスする。
【００１７】
例えばオーディオ装置１００の電源投入直後は、ＣＰＵ（Central Processing Unit）２０がＲＯＭ（Read-Only Memory）２２にアクセスする。ＣＰＵ２０は、ＲＯＭ２２に格納されているファームウェアを呼び出して、ファームウェアをＲＡＭ２４（例えばＳＤＲＡＭ（Synchronous Dynamic Random Access Memory）等）のワークエリアに展開して、オーディオ装置１００のシステムを起動する。これにより、各ブロックがＣＰＵ２０による制御下で必要に応じて連係動作して処理を実行し、ユーザ操作等により選択された楽曲が再生される。
【００１８】
オーディオ装置１００のフロントパネルには、ユーザ操作を受け付けるインタフェースとして操作キー（ハードウェアキー）２６が設けられている。フロントパネルには、楽曲情報を表示する液晶ディスプレイ２８も設けられている。液晶ディスプレイ２８はタッチパネル構造を有し、入力装置としての機能も兼ね備えている。ユーザは、操作キー２６に対するキー入力や、液晶ディスプレイ２８に表示されるＧＵＩ（Graphical User Interface）に対するフィンガータッチやペンタッチ等を行うことにより、オーディオ装置１００を操作することができる。
【００１９】
オーディオ装置１００は、ＣＤ（Compact Disc）やＤＶＤ（Digital Versatile Disc）等の記録メディアを挿入するメディアドライブ３２を有している。また、ＣＤ等からリッピングした楽曲データを記憶するＨＤＤ（Hard Disk Drive）３４を有している。ＨＤＤ３４は、ＳＳＤ（Solid State Drive）等の別の形態の記憶デバイスに置き換えてもよい。例えば楽曲再生の指示操作が行われると、メディアドライブ３２に挿入されているオーディオＣＤ又はＨＤＤ３４に記憶されている楽曲データが読み出される。読み出された楽曲データは、ＤＳＰ（Digital Signal Processor）３６に入力する。楽曲データは、ＤＳＰ３６による所定のオーディオ信号処理後、スピーカ３０により再生される。
【００２０】
オーディオ装置１００は、通信モデム３８によりインターネットにアクセスすることができる。例えばオーディオＣＤ挿入時やリッピング時にＴＯＣ（Table of Contents）情報が読み込まれると、インターネット上のＣＤＤＢ（CD DataBase）へのアクセスが通信モデム３８を介して行われて、ＴＯＣ情報に対応する楽曲詳細情報がダウンロードされる。ダウンロードされた楽曲詳細情報は、楽曲データと関連付けられた状態でＨＤＤ３４に記憶される。楽曲詳細情報は、ユーザがキー操作やタッチ操作を行い、任意に入力してもよい。
【００２１】
オーディオ装置１００は、オーディオ信号の再生処理と並行して所定の楽曲再生画面を液晶ディスプレイ２８に表示する楽曲再生画面表示処理を行う。図２は、楽曲再生画面表示処理のフローチャートを示す。図３、４は、本実施形態の楽曲再生画面例を示す。説明の便宜上、本明細書中の説明並びに図面において、処理ステップは「Ｓ」と省略して記す。
【００２２】
図２に示されるように、Ｓ１の処理では、ＣＤＤＢへのアクセスを通じて又はＨＤＤ３４に記憶されている楽曲詳細情報を参照して、メディアドライブ３２に挿入されているオーディオＣＤの楽曲リストが作成され、又はＨＤＤ３４中の選択アルバムの楽曲リストが読み出される。楽曲リストは、ユーザによって予め作成されたプレイリストであってもよい。
【００２３】
本実施形態のオーディオ装置１００は、例えば車載型オーディオ装置を想定している。そのため、液晶ディスプレイ２８の画面サイズは小さい。本実施形態の楽曲再生画面には、楽曲リストを表示する領域として、楽曲名を画面上下方向に最大で６つ並べて表示する分の領域（以下、「楽曲リスト表示領域」と記す。）しか確保されていない。従って、７曲以上の楽曲リストは、一画面に表示することができない。
【００２４】
再生対象楽曲の楽曲詳細情報を１曲分の表示スペースに収めるには、各種情報（例えば楽曲名、アーティスト名、アルバム名）間をスペースだけで区切り（非改行で）表示する必要がある。しかし、これでは、各種情報の区切りを判断し難く、楽曲詳細情報を正確かつ速やかに把握することが難しいという欠点がある。加えて、再生対象楽曲を含む６曲を全て同じサイズで表示すると、再生対象楽曲と他の楽曲との区別性が低いという問題がある。そのため、本実施形態では、再生対象楽曲に２曲分の表示スペースを割り当てたうえで、その楽曲詳細情報を表示する。再生対象楽曲の楽曲詳細情報中の各種情報は、区切りを一目で認識できるように種別ごとに改行して表示される。
【００２５】
Ｓ２の処理では、再生対象楽曲が楽曲リスト中の先頭から１〜ｎ、ｍ−ｎ＋１〜ｍ（ｎ、ｍは共に自然数）曲目に該当するか否かが判定される。本実施形態では、例えば楽曲リスト中の楽曲数が１２であり、ｎ＝２、ｍ＝１２である。
【００２６】
再生対象楽曲がｎ＋１〜ｍ−ｎ（すなわち３〜１０曲目の何れか）である場合（Ｓ２：ＮＯ）、当該楽曲の楽曲詳細情報が楽曲リスト表示領域の中央に表示されると共に、残りの楽曲リスト表示領域に収まる前後の楽曲が表示される（Ｓ３）。図３は、再生対象楽曲が４曲目であるときの楽曲再生画面例を示している。図３に示されるように、再生対象楽曲は、他の楽曲よりも表示スペースが大きく区別性が高いうえ、拡張した表示スペースを有効利用して楽曲詳細情報が種別ごとに改行表示されている。他の楽曲は、残りの楽曲リスト表示領域にできる限り多く表示するため、表示情報が楽曲名だけに制限されている。すなわち、楽曲再生画面は、表示可能な情報量の制約が厳しい表示領域内に楽曲情報を効率的に配置したレイアウトを有し、再生対象楽曲の詳細情報と前後の楽曲を一画面で視認したいというユーザの要望を満たす。
【００２７】
再生対象楽曲は、視覚的な区別性の更なる向上のため、楽曲詳細情報のフォントサイズや、楽曲詳細情報又は背景の色や明るさ等の表示形態が他の楽曲と異なるように表示されてもよい。
【００２８】
再生対象楽曲が１〜ｎ、ｍ−ｎ＋１〜ｍ（すなわち１、２、１１、１２曲目の何れか）である場合は（Ｓ２：ＹＥＳ）、当該楽曲を楽曲リスト表示領域の中央に表示させない。１（又は１２）曲目を楽曲リスト表示領域の中央に表示させると、楽曲リスト表示領域の最上段及び次段（又は最下段及びその前段）に何の楽曲情報も表示されない領域が現れて表示情報量が減り、効率的でないためである。そこで、Ｓ２の処理でＹＥＳ判定の場合は、１曲目の表示位置を楽曲リスト表示領域の最上段（又は１２曲目の表示位置を楽曲リスト表示領域の最下段）に固定しつつ、残りの楽曲リスト表示領域に収まる後（又は前）の楽曲情報を表示する（Ｓ４）。再生対象楽曲が例えば１曲目である場合、図４に例示される楽曲再生画面が表示される。すなわち、楽曲リスト表示領域の最上段に１曲目の楽曲詳細情報が表示され、残りの楽曲リスト表示領域に２曲目以降の楽曲名が表示される。再生対象楽曲が例えば２曲目である場合は、楽曲リスト表示領域の最上段に１曲目の楽曲名が表示され、次段に２曲分のスペースを用いて２曲目の楽曲詳細情報が表示される。残りの楽曲リスト表示領域に３曲目以降の楽曲名が表示される。
【００２９】
図５は、再生対象楽曲の変更時に実行される楽曲変更処理を示すフローチャートである。図６（ａ）、（ｂ）は、楽曲変更処理の説明に用いる楽曲再生画面例を示す。本フローチャート中、図２のフローチャートと同一の処理には同一の符号を付して説明を簡略又は省略する。
【００３０】
図５の楽曲変更処理は、図２の楽曲再生画面表示処理後に実行される。Ｓ１１の処理では、再生対象楽曲の変更指示入力の有無が定期的にチェックされる。変更指示入力は、例えば楽曲の再生が終了して次曲に移行する時や、ユーザによる楽曲選択操作が行われた時に発生する。ユーザは、例えば操作キー２６のボタン操作や、液晶ディスプレイ２８上のソフトウェアキー又は楽曲名に対するタップ操作を通じて楽曲を選択することができる。
【００３１】
変更指示入力がある場合（Ｓ１１：ＹＥＳ）、新たな再生対象楽曲に２曲分の表示スペースが割り当てられて楽曲詳細情報が表示されると共に、従前の再生対象楽曲の表示スペースが１曲分に削減されて楽曲名のみの表示に切り替えられる（Ｓ１２）。Ｓ１２の処理の実行後は、Ｓ２〜Ｓ４の処理が行われる。
【００３２】
例えば図３の楽曲再生画面の表示中に３曲目が選択されると、図６（ａ）に示されるように、３曲目に２曲分の表示スペースが割り当てられて楽曲詳細情報が表示されると共に、４曲目の表示スペースが１曲分に削減されて楽曲名のみの表示に切り替えられる。次いで、図６（ｂ）に示されるように、３曲目の楽曲詳細情報が楽曲リスト表示領域の中央に表示されるように楽曲リストがスクロールされる。このように、楽曲リストのレイアウトを動的に変化させると、再生対象楽曲の変更がユーザに視覚的に伝わりやすい。
【００３３】
なお、楽曲リストのスクロールは、１曲分の表示スペース単位で行われる。例えば図６（ｂ）の楽曲再生画面の表示中に画面下方向への３曲分のスクロール操作を行うと、３曲目の楽曲詳細情報は、楽曲リスト表示領域の最上段に移動して下側半分だけが表示される。このように、スクロール単位は、楽曲詳細情報の表示が一部欠ける場合でも特段変更することなく、スクロール制御を簡易にするため常に一定である。
【００３４】
以上が本発明の実施形態の説明である。本発明は、上記の構成に限定されるものではなく、本発明の技術的思想の範囲において様々な変形が可能である。例えばオーディオ装置１００の製品形態には、乗用車等に搭載される車載型オーディオ装置以外にも、部屋等に設置される据置型のオーディオセットコンポ、持ち運びを想定したポータブル音楽プレイヤー等が想定される。オーディオ装置１００は、カーナビゲーション装置の一部として構成されたものとしてもよい。
【００３５】
図７（ａ）、（ｂ）は、別の実施形態の楽曲変更処理の説明に用いる楽曲再生画面例を示す。例えば図６（ｂ）の楽曲再生画面の表示中に１曲目が選択されると、図７（ａ）に示されるように、１曲目に２曲分の表示スペースが割り当てられて楽曲詳細情報が表示されると共に、３曲目の表示スペースが１曲分に削減されて楽曲名のみの表示に切り替えられる。次いで、図７（ｂ）に示されるように、１曲目の楽曲詳細情報が楽曲リスト表示領域の中央に表示されるように楽曲リストがスクロールされる。別の実施形態では、番号の離れた楽曲を選択する際のスクロール量を抑えるため、楽曲リストの先頭と最後尾の楽曲を接続して楽曲リストをループ状に表示している。そのため、図７（ｂ）の例では、１曲目の上段に１１、１２曲目の楽曲名が表示される。別の実施形態では、再生対象楽曲は常に楽曲リスト表示領域の中央に表示される。
【符号の説明】
【００３６】
１０  システムバス
２０  ＣＰＵ
２２  ＲＯＭ
２４  ＲＡＭ
２６  操作キー
２８  液晶ディスプレイ
３０  スピーカ
３２  メディアドライブ
３４  ＨＤＤ
３６  ＤＳＰ
３８  通信モデム
１００  オーディオ装置
【図１】
0005775314.tif 000002
【図２】
0005775314.tif 000003
【図３】
0005775314.tif 000004
【図４】
0005775314.tif 000005
【図５】
0005775314.tif 000006
【図６】
0005775314.tif 000007
【図７】
0005775314.tif 000008